(57)【要約】      （修正有）【課題】撮影画像へのノイズ光の重畳を抑制したコンパクトな照射光学系を備えた眼底撮影装置を提供する。【解決手段】被検者眼の眼底を照明するための照明光学系３０と、照明光学系により照明された眼底を撮影する撮影光学系１０とを備える眼底撮影装置において、照明光学系は、被検者眼の眼底を照明するための複数の照明光源３１または３２を持ち、複数の照明光源は撮影光学系が持つ対物レンズ１１と撮像素子１７との間にて撮影光学系の光軸周りに環状に配置し、且つ、照明光源から発する照明光の光束を制限するための第１絞り部を、照明光学系の光路における被検者眼の瞳孔，及び水晶体と略共役となる位置に各々配置する。【選択図】図２
2018051036.tif 000002
【特許請求の範囲】
【請求項１】
被検者眼の眼底を照明するための照明光学系と、該照明光学系により照明された眼底を撮影する撮影光学系とを備える眼底撮影装置において、
前記照明光学系は、被検者眼の眼底を照明するための複数の照明光源を持ち、該複数の照明光源は前記撮影光学系が持つ対物レンズと撮像素子との間にて前記撮影光学系の光軸周りに環状に配置し、且つ、前記照明光源から発する照明光の光束を制限するための第１絞り部を、前記照明光学系の光路における被検者眼の瞳孔，及び水晶体と略共役となる位置に各々配置する、
ことを特徴とする眼底撮影装置。
【請求項２】
請求項１に記載の眼底撮影装置において、
前記照明光学系は、前記照明光源から発する照明光を偏光させるための第１偏光部材であって，環状に配置される前記複数の照明光源に対応して環状に配置される第１偏光部材を有し、前記撮影光学系は前記第１偏光部材により偏光された照明光のノイズ光となる反射光を前記撮像素子に受光させないための第２偏光部材を有することを特徴とする眼底撮影装置。
【請求項３】
請求項２に記載の眼底撮影装置において、
前記照明光学系は、前記照明光源，前記第１偏光部材，前記第１絞り部を一つのユニットにて一体的に配置する筒状の照明ユニットを有し、さらに該照明ユニットは筒内側通路を前記撮影光学系の光路として前記撮影光学系を通る前記照明光の反射光の光束を制限するための第２絞り部を前記照明ユニットの筒内壁に設けたことを特徴とする眼底撮影装置。
【請求項４】
請求項３に記載の眼底撮影装置において、
前記照明ユニットは更に、前記照明光源から発する照明光の光束を制限するための第３絞り部を、前記照明光学系の光路における被検者眼の角膜と略共役となる位置に設けたことを特徴とする眼底撮影装置。
【発明の詳細な説明】
【技術分野】
【０００１】
本開示は、被検者眼を撮影する眼底撮影装置に関する。
【背景技術】
【０００２】
被検者眼の眼底を撮影する眼底撮影装置が知られている。特許文献１の眼底カメラは、撮影絞りの近傍に孔あきミラーを配置して、照明光学系と眼底観察・撮影光学系を同軸化している。また、眼底観察・撮影光学系から分岐した照明光学系に、リングスリット、フォーカス指標投影用のスポットミラー等を配置している。
【先行技術文献】
【特許文献】
【０００３】
【特許文献１】特開２０１１−３０９７０号公報
【発明の概要】
【発明が解決しようとする課題】
【０００４】
特許文献１のように、分岐した照明光学系にリングスリット等の部材等を配置すると、装置全体が大型化し易かった。また、撮影絞りを被検者眼の瞳孔と共役な位置に配置し、且つ、孔あきミラーを撮影絞りと重なる位置に配置すると、撮影画像へのノイズ光の重畳を抑制するための光学部材（バッフル板等）を、孔あきミラーよりも対物レンズ側に配置し難かった。
【０００５】
本開示は、上記の従来技術の問題点に鑑みて、撮影画像へのノイズ光の重畳を抑制したコンパクトな照射光学系を備えた眼底撮影装置を提供することを技術課題とする。
【課題を解決するための手段】
【０００６】
上記課題を解決するために、本発明は以下のような構成を備えることを特徴とする。
（１）被検者眼の眼底を照明するための照明光学系と、該照明光学系により照明された眼底を撮影する撮影光学系とを備える眼底撮影装置において、前記照明光学系は、被検者眼の眼底を照明するための複数の照明光源を持ち、該複数の照明光源は前記撮影光学系が持つ対物レンズと撮像素子との間にて前記撮影光学系の光軸周りに環状に配置し、且つ、前記照明光源から発する照明光の光束を制限するための第１絞り部を、前記照明光学系の光路における被検者眼の瞳孔，及び水晶体と略共役となる位置に各々配置する、ことを特徴とする。
【発明の効果】
【０００７】
本開示によれば、撮影画像へのノイズ光の重畳を抑制したコンパクトな照射光学系を備えた眼底撮影装置を提供することができる。
【図面の簡単な説明】
【０００８】
【図１】本実施形態の眼底撮影装置を左側方から見た外観図である。
【図２】光学系の概略構成図である。
【図３】瞳孔に形成されるパターン光の図である。
【図４】制御系の概略構成図である。
【図５】照明ユニットの正面図である。
【図６】照明ユニットの背面図である。
【図７】図５のＡ−Ａ断面図である。
【図８】図７のＢ−Ｂ断面図である。
【図９】図７のＣ−Ｃ断面図である。
【発明を実施するための形態】
【０００９】
以下、本開示における典型的な実施形態について、図面を参照して説明する。本実施形態では、被検者眼Ｅの眼底に照明光を投光して被検者眼Ｅの眼底を撮影する眼底撮影装置１について説明する。
【００１０】
図１を用いて説明する。本実施形態の眼底撮影装置１は、被検者眼Ｅの撮影を行うための各種光学系を含む光学部３、被検者眼Ｅの観察像等を表示するための表示部８、モーターを備え、光学部３をベース部７上で上下／左右／前後方向（３次元方向）に移動させるためのＸＹＺ駆動部６、被検者の顔を固定するための顎載せ台５、およびＸＹＺ駆動部６が備えるモーターの駆動を手動で操作するためのジョイスティック４を備える。
【００１１】
＜光学部＞
図２を用いて本実施形態の光学部３を説明する。本実施形態の光学部３は、被検者眼Ｅの眼底を観察・撮影するための撮影光学系１０、被検者眼Ｅの前眼部を観察するための前眼部観察光学系２０、被検者眼Ｅの眼底に観察用・撮影用の照明光を投光するための照明光学系３０、被検者眼Ｅの眼底にフォーカシング用の指標光を投光するための指標光学系５０、および被検者眼Ｅに固視標を呈示するための固視標呈示光学系６０を備える。
【００１２】
＜撮影光学系＞
本実施形態の撮影光学系１０は、対物レンズ１１、ダイクロイックミラー２１、第２絞り部１２、レンズ１３、結像レンズ１４、ダイクロイックミラー１５、第２偏光部材１６、および撮像素子１７を備える。ダイクロイックミラー２１は眼底用の照明光（観察光又は撮影光）と眼底からの反射光とを透過して、前眼部照明光に基づく被検者眼Ｅからの前眼部反射光を反射する波長特性を有する。第２絞り部１２は円形の開口部を有し、開口部の中心を撮影光学系１０の光軸Ｌ１が通過する。なお、第２絞り部１２は被検者眼Ｅの瞳孔と略共役（又は共役）な位置に配置されている。本実施形態の第２絞り部１２は、照明ユニット３４に一体的に形成されている。
【００１３】
ダイクロイックミラー１５は、眼底からの反射光を透過して、ＬＣＤ６２が発する視標光を反射する波長特性を有する。第２偏光部材１６としてガラス偏光フィルターを用いてもよい。本実施形態の第２偏光部材１６は、撮影画像へのノイズ光（換言するなら不要光、アーチファクト）の重畳を抑制するために設けられている。ノイズ光とは、例えば、対物レンズ１１の内面で反射した照明光（又は指標光）の成分である。
【００１４】
撮像素子１７として、赤外帯域の波長および可視帯域の波長に感度を有するイメージセンサー（例えばＣＭＯＳイメージセンサー）を用いてもよい。本実施形態の撮像素子１７は、被検者眼Ｅの眼底と共役（略共役）な位置に配置されている。なお、本実施形態の撮影光学系１０は、画角４３°で撮像可能である。本実施形態のベース７１には、ダイクロイックミラー１５、第２偏光部材１６、撮像素子１７、およびＬＣＤ６２が固定されている。駆動部７２はベース７１に接続されている。制御部８０が駆動部７２を駆動すると、ベース７１は光軸Ｌ１に沿って移動される。これにより、例えば、被検者眼Ｅ毎に視度が異なったとしても、眼底と撮像素子１７の共役関係を維持できる。
【００１５】
＜照明光学系＞
図５〜図９を併用して、本実施形態の照明光学系３０を説明する。図５は、本実施形態の照明ユニット３４の正面図である。図６は、本実施形態の照明ユニット３４の背面図である。図７は図５のＡ−Ａ断面図である。図８は、図７のＢ−Ｂ断面図である。図９は、図７のＢ−Ｂ断面図である。なお、換言するなら、図５は、図２の照明ユニット３４を紙面左方向から見た概略外観図であり、図６は、図２の照明ユニット３４を紙面右方向から見た概略外観図である。
【００１６】
本実施形態の照明光学系３０は、照明光源（照明光源３１又は照明光源３２）、角膜絞り３７（第３絞り部）、ダイクロイックプリズム３６、ダイクロイックプリズム３８、瞳孔絞り３９、第１偏光部材４１、水晶体絞り３３、ダイクロイックミラー２１、および対物レンズ１１を備える。本実施形態の照明光学系３０は、ダイクロイックミラー２１と対物レンズ１１を撮影光学系１０と共用する。本実施形態の照明光源３１と照明光源３２は共にＬＥＤである。照明光源３１と照明光源３２にＬＥＤ以外の発光素子を用いてもよい。
【００１７】
本実施形態では、照明光源３１は観察用の赤外光を発し、照明光源３２は撮影用の可視光を発する。しかし、例えば、照明光源３１と照明光源３２が共に可視光を発してもよい。また、例えば、眼底撮影装置１が、照明光源３１と照明光源３２のいずれかを備えるだけでもよい。なお、本実施形態では、８つの照明光源（照明光源３１又は照明光源３２）を均等間隔で配置している。しかし、照明光源の数は８つに限るものでない。また、照明光源同士の間隔も均等に限るものではない。
【００１８】
本実施形態の照明光学系３０は複数の照明光源（照明光源３１又は照明光源３２）を持つ。複数の照明光源は、撮影光学系１０が持つ対物レンズ１１と撮像素子１７との間にて撮影光学系１０の光軸Ｌ１周りに環状に配置されている。照明光源３１は光軸Ｌ１と平行な方向に光（赤外光）を発し、照明光源３２は光軸Ｌ１に向けて光（可視光）を発する。以降の説明では、照明光源３１が発する光を観察光と称し、照明光源３２が発する光を撮影光と称する場合がある。
【００１９】
本実施形態の角膜絞り３７は、被検者眼Ｅの角膜と略共役（又は共役）な位置に配置されている。本実施形態のダイクロイックプリズム３６は、照明光源３１が発する光（赤外光）を反射して、照明光源３２が発する光（可視光）を直進透過する特性を有する。本実施形態のダイクロイックプリズム３８は、照明光源３１と照明光源３２が発する光を反射して、指標光源５１が発する光を直進透過する特性を有する。
【００２０】
なお、本実施形態のダイクロイックプリズム３６又はダイクロイックプリズム３８を光路分岐部材と呼んでもよい。一例として、ダイクロイックプリズム３６又はダイクロイックプリズム３８をモールド形成してもよい。また一例として、ダイクロイックプリズム３６又はダイクロイックプリズム３８の少なくとも一部を樹脂で形成してもよい。また一例として、ダイクロイックプリズム３６とダイクロイックプリズム３８を一体成形してもよい。また、ダイクロイックプリズムの代わりに、ミラー、ライトパイプ等を用いてもよい。
【００２１】
本実施形態の瞳孔絞り３９は、被検者眼Ｅの瞳孔と略共役（又は共役）な位置に配置されている。第１偏光部材４１として、ガラス偏光フィルターを用いてもよい。本実施形態の第１偏光部材４１は、前述した第２偏光部材１６と同様に、撮影画像へのノイズ光の重畳を抑制するために設けられている。
【００２２】
本実施形態の水晶体絞り３３は、被検者眼Ｅの水晶体と略共役（又は共役）な位置に配置されている。本実施形態の角膜絞り３７、ダイクロイックプリズム３６、ダイクロイックプリズム３８、瞳孔絞り３９、第１偏光部材４１、および水晶体絞り３３は、複数の照明光源（照明光源３１又は照明光源３２）の配置に対応して、光軸Ｌ１周りに環状に配置されている。照明光源３１のように、独立した各々の部材を環状に並べてもよいし、環状に成形された部材を用いてもよい。
【００２３】
本実施形態の瞳孔絞り３９と水晶体絞り３３は、光軸Ｌ１を中心にした円環状の開口部を備えている（図８，図９参照）。瞳孔絞り３９と水晶体絞り３３の内側に形成されている開口部を、撮影光学系１０の受光光束が通過する。換言するなら、本実施形態の瞳孔絞り３９と水晶体絞り３３は、それぞれ２重リング構造になっており、内側を受光光束が通過し、外側を投光光束が通過する。そして、ダイクロイックプリズム３８（光路分岐部材）で分岐された照明光学系３０の光路上の略角膜共役位置に、角膜絞り３７と照明光源が配置されている。ダイクロイックプリズム３６（光路分岐部材）は眼底撮影用の光束（可視光であり白色光）と眼底観察用の光束（赤外光）を同軸化（分離）できる。
【００２４】
本実施形態では、照明光源（照明光源３１又は照明光源３２）、角膜絞り３７、ダイクロイックプリズム３６、ダイクロイックプリズム３８、瞳孔絞り３９、第１偏光部材４１、および水晶体絞り３３により照明ユニット３４を構成している。本実施形態の照明ユニット３４は筒状である。本実施形態では、照明ユニット３４の筐体内に、ダイクロイックプリズム３６、ダイクロイックプリズム３８、瞳孔絞り３９、および第１偏光部材４１が収容されている（図７参照）。また、本実施形態では、角膜絞り３７と水晶体絞り３３が、照明ユニット３４の筐体の一部として形成されている。本実施形態の照明ユニット３４は、筒内側が撮影光学系１０の光路となる。つまり、本実施形態の受光光束は筒内側を通過する。
【００２５】
本実施形態では、照明ユニット３４の筒内側に、撮影光学系１０の開口絞りとして作用する第２絞り部１２が形成されている（図７，図８参照）。本実施形態の照明ユニット３４は、筒状を成す内壁部４２が光軸Ｌ１の基端側（撮像素子１７側）から先端側（対物レンズ１１側）に伸びる。内壁部４２は、仕切部として、投光光束と受光光束を仕切る。本実施形態の内壁部４２は、投光光束と受光光束の干渉を抑制すると共に、第２絞り部１２、瞳孔絞り３９、および水晶体絞り３３を一体的に支持する。本実施形態の照明ユニット３４は更に、第２絞り部１２、瞳孔絞り３９、および水晶体絞り３３に加えて、角膜絞り３７も一体的に形成している。
【００２６】
本実施形態では、照明光学系３０の光路における被検者眼Ｅの瞳孔、及び水晶体と略共役となる位置に第１絞り部３５を各々配置している。本実施形態の第１絞り部３５は、瞳孔絞り３９と水晶体絞り３３を含む。換言するなら、本実施形態の眼底撮影装置１は、対物レンズ１１を介して被検者眼Ｅの前眼部と最初に共役となる位置に、第２絞り部１２、瞳孔絞り３９、および水晶体絞り３３を一体的に配置している。これにより、例えば、眼底撮影装置１の光学系をコンパクトにできる。
【００２７】
＜指標光学系＞
図２と図７を用いて本実施形態の指標光学系５０を説明する。本実施形態の指標光学系５０は、指標光源５１、コンデンサレンズ５２、チャート部５３、レンズ５４、ミラー５５、ミラー５６、ダイクロイックプリズム３８、瞳孔絞り３９、第１偏光部材４１、水晶体絞り３３、ダイクロイックミラー２１、および対物レンズ１１を備える。なお、本実施形態の指標光学系５０は、ダイクロイックプリズム３８から対物レンズ１１までの部材を照明光学系３０と共用する。チャート部５３はスリット状の開口部と一対のくさびプリズムとを有する。スリット状の開口部は、撮像素子１７（換言するなら被検者眼Ｅの眼底）と共役な位置に配置されている。ミラー５６は一対のミラーであり、照明ユニット３４の背面側で、ダイクロイックプリズム３８と面して配置されている。
【００２８】
指標光源５１が発する視標光（赤外光）は、コンデンサレンズ５２を透過した後、チャート部５３を通過する際に一対の指標光（換言するなら２つの光束）に分離される。一対の指標光は、レンズ５４を透過し、ミラー５５で反射された後に、反射方向に配置されているミラー５６で再び反射される。なお、チャート部５３で分離された一対の指標光は、各々異なるミラー５６で反射される。なお、図２は説明を簡略化するため、指標光の光軸を紙面下方へと折り曲げている。
【００２９】
ミラー５６で反射した指標光は、ダイクロイックプリズム３８を直進透過した後、瞳孔絞り３９、第１偏光部材４１の順で照明ユニット３４の筐体内部を進み、水晶体絞り３３の開口部を通過する。なお、一対の指標光は、照明ユニット３４の内部を異なる光路で通過する。水晶体絞り３３の開口部を通過した一対の指標光は、ダイクロイックミラー２１、対物レンズ１１の順で介して進み被検者眼Ｅの眼底に集光（結像）される。
【００３０】
本実施形態では、指標光源５１、コンデンサレンズ５２、およびチャート部５３がベース５８に固定されている。ベース５８には駆動部５７が接続されている。制御部８０が駆動部５７を駆動すると、ベース５８は指標光学系５０の光軸に沿って移動される。眼底と撮像素子１７が共役の位置関係にある状態では、一対の指標光は眼底上で一直線になる。一方で、眼底と撮像素子１７が共役の位置関係に無い状態では、指標光は眼底上で分離する。本実施形態の撮像素子１７は、指標光の反射像を眼底像と共に撮像できる。本実施形態の制御部８０は、眼底に投影される一対の指標光の分離状態を検出して、眼底に対する撮像素子１７の自動フォーカスを行なえる。
【００３１】
本実施形態の指標光は、受光光束の外側に形成されている瞳孔絞り３９と水晶体絞り３３を通過する。これにより、被検者眼Ｅの前眼部における指標光（投光光束）と受光光束（撮像素子１７で受光）の干渉を抑制できる。つまり、撮影画像へのノイズ光の重畳を抑制できる。本実施形態では、照明光と指標光とで照明ユニット３４の少なくとも一部を共用している。しかし、照明光を別の光路で投光してもよい。また、眼底撮影装置１が指標光学系５０を備えなくてもよい。この場合、例えば、制御部８０は撮像素子１７が撮像した観察像のコントラストを解析し、駆動部７２を駆動して眼底に対する撮像素子１７の自動フォーカスを行ってもよい。眼底撮影装置１が指標光学系５０を備えない場合、ダイクロイックプリズム３８の位置にダイクロイックプリズム３６を配置すればよいため、照明光学系３０をより小型化し易い。
【００３２】
＜固視標呈示光学系＞
本実施形態の固視標呈示光学系６０は、ＬＣＤ６２、ダイクロイックミラー１５、結像レンズ１４、レンズ１３、ダイクロイックミラー２１、および対物レンズ１１を備える。なお、本実施形態の固視標呈示光学系６０はダイクロイックミラー１５から対物レンズ１１までの部材を撮影光学系１０と共用する。本実施形態のＬＣＤ６２は撮像素子１７（換言するなら被検者眼Ｅの眼底）と共役な位置に配置されている。ＬＣＤ６２には視標像が表示される。ＬＣＤ６２が発する視標光（可視光）はダイクロイックミラー１５で反射した後、結像レンズ１４、レンズ１３、第２絞り部１２、ダイクロイックミラー２１、対物レンズ１１の順で介して進み被検者眼Ｅの眼底に集光（結像）する。
【００３３】
＜前眼部観察光学系＞
本実施形態の前眼部観察光学系２０は、対物レンズ１１、ダイクロイックミラー２１、ミラー２２、レンズ２３、結像レンズ２４、および撮像素子２５を備える。撮像素子２５として、赤外帯域の波長の感度を有するイメージセンサー（例えばＣＭＯＳイメージセンサー）を用いてもよい。本実施形態の撮像素子２５は被検者眼Ｅの前眼部と共役（略共役）な位置に配置されている。対物レンズ１１の周辺には赤外ＬＥＤ２６が配置されている。赤外ＬＥＤ２６が発する前眼部照明光（例えば波長９５０ｎｍ）は被検者眼Ｅの前眼部を照明する。被検者眼Ｅで反射した前眼部照明光は、対物レンズ１１を透過した後にダイクロイックミラー２１で反射し、ミラー２２で再び反射した後に、レンズ２３、結像レンズ２４の順で介して進み撮像素子２５に集光（結像）する。表示部８には、撮像素子２５の出力信号を用いた前眼部観察像が表示される。
【００３４】
＜制御部＞
図４を併用して、本実施形態の制御部８０を説明する。本実施形態の制御部８０は、眼底撮影装置１の動作を制御する。制御部８０は、眼底撮影装置１の各部制御を司るＣＰＵ８１（プロセッサ）、各種プログラム，初期値等が記憶されているＲＯＭ８２、各種情報を一時的に記憶するＲＡＭ８３、および電源の供給が遮断されても記憶内容を保持できる非一過性の記憶媒体である不揮発性８４を備える。制御部８０またはＣＰＵ８１をコンピュータと呼んでもよい。制御部８０には、照明光源３１、照明光源３２、撮像素子２５、赤外ＬＥＤ２６、撮像素子１７、ＬＣＤ６２、駆動部７２、駆動部５７、ジョイスティック４、ＸＹＺ駆動部６、表示部８等が接続される。
【００３５】
＜被検者眼の撮影＞
本実施形態の眼底撮影装置１を用いた被検者眼Ｅの撮影（又は観察）を説明する。本実施形態の眼底撮影装置１は、電源が投入されると観察モードになる。観察モードでは、照明光源３１が点灯されると共に、撮像素子１７による被検者眼Ｅの観察像の取得、および表示部８への観察像の動画表示が行われる。観察モード中にジョイスティック４のレリーズスイッチが押されると、照明光源３１が消灯されて照明光源３２が点灯されると共に、撮像素子１７による被検者眼Ｅの撮影像の取得、および表示部８への撮影像の表示（静止画）が行われる。なお、眼底に対する撮像素子１７のフォーカシングは観察モード中に自動で行われる。
【００３６】
上述の動作を詳細に説明する。照明光源（照明光源３１又は照明光源３２）から射出される照明光は、角膜絞り３７を通過した後、ダイクロイックプリズム３６を通過してダイクロイックプリズム３８に入射する。なお、観察光の場合はダイクロイックプリズム３６の内部で反射し、撮影光の場合はダイクロイックプリズム３６の内部を直進する。光軸Ｌ１方向に進んできた照明光はダイクロイックプリズム３８に入射する。照明光はダイクロイックプリズム３８の内部で反射して光軸Ｌ１の先端方向（対物レンズ１１側）に進み、瞳孔絞り３９の開口部を通過する。瞳孔絞り３９の開口部を通過した照明光は、第１偏光部材４１で偏光された後、水晶体絞り３３の開口部を通過する。なお、本実施形態の水晶体絞り３３は、開口部の開口径を変更できる。
【００３７】
水晶体絞り３３の開口部を通過した照明光は、ダイクロイックミラー２１、対物レンズ１１の順で介して進み、被検者眼Ｅの瞳孔位置に集光する。瞳孔位置ではリング形状のパターン光ＰＴＮ（図３参照）が形成される。瞳孔位置に集光された照明光は拡散しつつ眼底を照明する。本実施形態の照明光学系３０は、撮影光学系１０が撮影する画角４３°を超える範囲を照明する。眼底からの反射光（換言するなら眼底で反射した照明光）は、対物レンズ１１、ダイクロイックミラー２１の順で介して進み、筒状の照明ユニット３４の筒内側に形成されている第２絞り部１２の開口部を通過する。
【００３８】
本実施形態の照明ユニット３４は、第１絞り部３５と第２絞り部１２とが一体的に形成されており、投光光束（観察光、撮影光、指標光の少なくともいずれ）と受光光束（撮像素子１７が受光する反射光）の干渉を撮影光学系１０の一ヶ所で抑制できる。また、本実施形態の瞳孔絞り３９は、第２絞り部１２の外側（周囲）に形成されている。本実施形態の照明ユニット３４は、光軸Ｌ１上の被検者眼Ｅの瞳孔と共役となる位置であり、且つ、光軸Ｌ１に交差する平面上に、投光光束と受光光束を分離するための第２絞り部１２、及び瞳孔絞り３９を形成している（図８参照）。上述した構成により、例えば、投光光束と受光光束を被検者眼Ｅの瞳孔位置で精度よく分離できる。これにより、これにより、例えば、コンパクトな照明光学系３０ながらも、撮影画像へのノイズ光（フレア，ゴースト等）の重畳を好適に抑制できる。
【００３９】
図９で示すように、本実施形態の水晶体絞り３３は受光光束の外径を規制（制限）している。また、本実施形態の水晶体絞り３３は、受光光束の外径よりも外側で投光光束の内径を制限している。本実施形態の照明ユニット３４は、光軸Ｌ１上の被検者眼Ｅの水晶体と共役となる位置であり、且つ、光軸Ｌ１に交差する平面上に、投光光束と受光光束を分離するための水晶体絞り３３を形成している。上述した構成により、例えば、投光光束と受光光束を被検者眼Ｅの水晶体位置で精度よく分離できる。
【００４０】
第２絞り部１２の開口部を通過した反射光は、レンズ１３、結像レンズ１４の順で介して進みダイクロイックミラー１５を透過する。ダイクロイックミラー１５を透過した反射光は、第２偏光部材１６で偏光されて撮像素子１７上に集光（眼底像が結像）される。表示部８には撮像素子１７の出力信号を用いた眼底像（照明光源３１の点灯時は観察像であり、照明光源３２の点灯時は撮影像）が表示される。本実施形態の第２偏光部材１６は、その偏光方向が照明光の偏光方向に対して垂直となるように配置されている。本実施形態の照明光は第１偏光部材４１で所定の方向に偏光されるため、受光光束に重畳し易い眼底撮影装置１の内部反射（正反射）の成分を、第２偏光部材１６で減衰できる。なお、例えば、眼底撮影装置１が第１偏光部材４１と第２偏光部材１６のいずれか一方のみを備えてもよいし、両方備えなくてもよい。
【００４１】
＜まとめ＞
以上説明したように、本実施形態の眼底撮影装置１は、被検者眼Ｅの中間透光体部で照明光束（投光光束）と撮影光束（受光光束）を制限するリング絞りを撮影光学系１０の光路中に設け、且つ、光源を撮影光学系１０の光軸Ｌ１外に配置している。これにより、例えば、撮影光学系１０の光路に影響を及ぼすことなく照明光学系３０を小型化できる。
【００４２】
また、本実施形態の眼底撮影装置１は、被検者眼Ｅの眼底を照明するための照明光学系３０と、照明光学系３０により照明された眼底を撮影する撮影光学系１０を備える。照明光学系３０は、被検者眼Ｅの眼底を照明するための複数の照明光源（３１，３２）を持ち、複数の照明光源は撮影光学系１０が持つ対物レンズ１１と撮像素子１７との間にて撮影光学系１０の光軸Ｌ１周りに環状に配置され、且つ、照明光源から発する照明光の光束を制限するための第１絞り部３５を、照明光学系３０の光路における被検者眼Ｅの瞳孔、及び水晶体と略共役となる位置に各々配置している。これにより、例えば、コンパクトな照明光学系３０でありながらも、撮影画像へのノイズ光の重畳を好適に抑制できる。
【００４３】
また、本実施形態の眼底撮影装置１の照明光学系３０は、照明光源（３１，３２）から発する照明光を偏光させるための第１偏光部材４１を備える。第１偏光部材４１は、環状に配置される前記複数の照明光源に対応して環状に配置される。撮影光学系１０は、第１偏光部材４１により偏光された照明光のノイズ光となる反射光を撮像素子１７に受光させないための第２偏光部材１６を有している。これにより、例えば、眼底撮影装置１の内部で発生する照明光の内部反射が撮影画像に重畳してしまう事象を抑制できる。
【００４４】
また、本実施形態の眼底撮影装置１の照明光学系３０は、照明光源（３１，３２）、第１偏光部材４１、第１絞り部３５を一つのユニットにて一体的に配置する筒状の照明ユニット３４を有している。照明ユニット３４は、筒内側通路を撮影光学系１０の光路として撮影光学系１０を通る照明光の反射光の光束を制限するための第２絞り部１２を照明ユニット３４の筒内壁に設けている。これにより、例えば、撮影画像へのノイズ光の重畳を抑制するための光学部材を、精度よく配置できる。なお、本実施形態の眼底撮影装置１の態様は据置き型であるが、本開示の技術を手持ち型の眼底撮影装置に適用してもよい。
【００４５】
今回開示された実施形態はすべての点で例示であって、制限的なものではないと考えられるべきである。本発明の範囲は、上記した説明ではなく、特許請求の範囲によって示され、特許請求の範囲及びこれと均等の意味及び範囲内でのすべての変更が含まれることが意図される。
【符号の説明】
【００４６】
１  ：眼底撮影装置
１０：撮影光学系
１１：対物レンズ
１７：撮像素子
３０：照明光学系
３１：照明光源
３２：照明光源
３５：第１絞り部
Ｅ  ：被検者眼
【図１】
2018051036.tif 000003
【図２】
2018051036.tif 000004
【図３】
2018051036.tif 000005
【図４】
2018051036.tif 000006
【図５】
2018051036.tif 000007
【図６】
2018051036.tif 000008
【図７】
2018051036.tif 000009
【図８】
2018051036.tif 000010
【図９】
2018051036.tif 000011